(57)【要約】【課題】  プライバシーフィルタのコントラストを制御可能な情報処理装置を提供することが可能となる。【解決手段】  プライバシーフィルタ１７に表示されている妨害パターンのコントラストが低ければ、コントラストアップボタン３１を操作して、妨害パターンのコントラストを上げる。また、プライバシーフィルタ１７に表示されている妨害パターンのコントラストが高ければ、コントラストダウンボタン３２を操作して、妨害パターンのコントラストを下げる。【選択図】図１
2006243782.tif 000002
【特許請求の範囲】
【請求項１】
表示パネルと、
前記表示パネルの一方の面に対向して配置され、フィルタ駆動信号によって駆動されると共に、前記表示パネルの面の略法線方向以外の所定の方向に向かう光量を前記フィルタ駆動信号の値に応じて制御するフィルタと、
入力部と、
前記入力部の操作に応じて、前記フィルタ駆動信号の値を調整する制御部とを具備することを特徴とする情報処理装置。
【請求項２】
温度センサを更に具備し、
前記制御部は、前記温度センサの計測温度に応じて前記フィルタ駆動信号の値を補正する補正部を有することを特徴とする請求項１記載の情報処理装置。
【請求項３】
前記フィルタは一対の電極間に挟まれた液晶層を有し、
前記フィルタが駆動されていない時に、前記一対の電極間の電位差を所定値以下の値にする電位制御部を更に具備することを特徴とする請求項１記載の情報処理装置。
【請求項４】
前記表示パネルへのパネル駆動信号の供給を停止するための停止信号に応じて、前記一対の電極間の電位差を所定値以下の値にするための電位制御部とを更に具備することを特徴とする請求項１記載の情報処理装置。
【請求項５】
前記入力部は、コントラストアップキーと、コントラストダウンキーとを有し、
前記制御部は、前記コントラストアップキー及び前記コントラストダウンキーの操作に応じて前記フィルタ駆動信号の値を調整することを特徴とする請求項１に記載の情報処理装置。
【請求項６】
表示パネルと、
前記表示パネルの一方の面に対向して配置され、フィルタ駆動信号によって駆動されると共に、前記表示パネルの略法線方向以外の所定の方向に照射される光量を前記フィルタ駆動信号の値に応じて制御するフィルタと、
温度センサと、
前記温度センサの検出温度に応じて前記フィルタ駆動信号の値を調整する制御部とを具備することを特徴とする情報処理装置。
【請求項７】
前記フィルタが駆動されていない時に、前記一対の電極間の電位差を所定値以下の値にするための電位制御部を更に具備することを特徴とする請求項６記載の情報処理装置。
【請求項８】
前記表示パネルへの前記パネル駆動信号の供給を停止するための停止信号に応じて、前記一対の電極間の電位差を所定値以下の値にするための電位制御部とを更に具備することを特徴とする請求項６記載の情報処理装置。
【請求項９】
表示パネルと、前記表示パネルの一方の面に対向して配置され、フィルタ駆動信号によって駆動されると共に、前記表示パネルの略法線方向以外の所定の方向に照射される光量を前記フィルタ駆動信号の値に応じて制御するフィルタと、入力部と、前記入力部の操作に応じて、前記フィルタ駆動信号の値を調整する制御部とを具備する情報処理装置の制御方法であって、
前記入力部の操作を検出するステップと、
前記入力部の操作を検出した場合、前記入力部の操作に応じて前記フィルタ駆動信号の値を調整するステップとを含むことを特徴とする情報処理装置の制御方法。
【請求項１０】
温度を測定するステップと、
測定された温度に応じて、前記フィルタ駆動信号の値を調整するステップとを含むことを特徴とする請求項９記載の情報処理装置の制御方法。
【発明の詳細な説明】
【技術分野】
【０００１】
本発明は、覗き込み困難にするプライバシーフィルタを具備する情報処理装置に関する。
【背景技術】
【０００２】
近年、液晶表示装置は、ノートブック型コンピュータ用、モニタ用等の表示装置として広く用いられている。液晶表示装置の視野角依存性の改良が進み、ＣＲＴと同レベルの視野角を有するようになってきた。
【０００３】
ところが、例えば携帯端末等の用途を中心に、正面から見ることが可能であり、斜め方向から見ることを困難にするディスプレイの要求がある。これは、機密性のある文書等を公共の場等で作成する、あるいは読む場合に、ディスプレイの略正面に位置する使用者以外にこの情報が見えることを防ぐ為である。また、周りを気にすることなく、個人的なメール等を読み、また書くようにするためである。
【０００４】
視野角を制御する技術として、液晶パネル（以下では視野角制御フィルタ）を用いる技術が開示されている（特許文献１）。この文献に記載されている技術では、視野角制御フィルタをＯＮにすると、斜めからは妨害パターンが見え、文章などの画面の情報を保護する。なお、視野角制御フィルタが動作していても、正面からの見え方は変わらない。また、視野角制御フィルタをオフにすると、画像を表示するための画像表示パネルの本来の視野角で見ることができる。
【特許文献１】特開２００４−１３３３４号公報
【発明の開示】
【発明が解決しようとする課題】
【０００５】
上述した視野角制御フィルタは液晶を用いている。液晶は、温度が変動すると同じ駆動電圧であってもコントラストが変化する。温度によってはコントラストが低く、視野角制御フィルタを動作させても、表示パネルに表示された画像が斜め方向から見えてしまうことがあるという問題があった。
【０００６】
本発明の目的は、プライバシーフィルタのコントラストを制御可能な情報処理装置を提供することにある。
【課題を解決するための手段】
【０００７】
本発明の一例に係わる情報処理装置は、表示パネルと、前記表示パネルの一方の面に対向して配置され、フィルタ駆動信号によって駆動されると共に、前記表示パネルの面の略法線方向以外の所定の方向に向かう光量を前記フィルタ駆動信号の値に応じて制御するフィルタと、入力部と、前記入力部の操作に応じて、前記フィルタ駆動信号の値を調整する制御部とを具備することを特徴とする。
【発明の効果】
【０００８】
本発明によれば、プライバシーフィルタのコントラストを制御可能な情報処理装置を提供することが可能となる。
【発明を実施するための最良の形態】
【０００９】
本発明の実施の形態を以下に図面を参照して説明する。
【００１０】
図１は本発明の第１の実施の形態に係る情報処理装置としてのノートブック型のパーソナルコンピュータの構成の一例を示す図である。
【００１１】
パーソナルコンピュータは、コンピュータ本体１２と、ディスプレイユニット１４とから構成されている。ディスプレイユニット１４には、表示パネルであるＬＣＤ（Liquid Crystal Display）１６、及びプライバシーフィルタ１７が組み込まれている。
【００１２】
図２に示すように、プライバシーフィルタ１７は、ＬＣＤ１６の画像表示面上に装着されている。なお、プライバシーフィルタ１７が、ＬＣＤ１６の画像表示面と反対側の面上に装着されていても良い。また、液晶パネルの他、有機ＥＬパネルなど、パネル表面に偏光板を有するディスプレイに装着して使用することも可能である。
【００１３】
ディスプレイユニット１４は、コンピュータ本体１２の上面を覆う開放位置とコンピュータ本体１２の上面が露出する閉塞位置との間を回動自在に変化するように、コンピュータ本体１２の奥手側の端部に設けられたヒンジ（支持部）１８に取り付けられている。
【００１４】
コンピュータ本体１２は薄い箱形の筐体を有しており、その筐体上面中央部には、キーボード２０が設けられる。コンピュータ本体１２の手前側の筐体部分上面にはパームレストが形成されている。パームレストのほぼ中央部には、タッチパッド２２、スクロールボタン２４、タッチパッドコントロールボタン２６が設けられる。コンピュータ本体１２の奥側の筐体部分上面には、コンピュータ本体１２の電源をオン／オフするためのパワーボタン２８、フィルタＯＮ／ＯＦＦボタン３０、コントラストアップボタン３１、コントラストダウンボタン３２、左右のスピーカ３３、３４が配置されている。筐体の前面には、電源状態やＨＤＤの動作状態を示す各種インジケータ（ＬＥＤ）３６が設けられる。
【００１５】
図３にプライバシーフィルタ１７の断面図の一例を示す。ガラスによる透明基板１７１上に透明電極１７２及び配向膜１７３が順次積層されている。配向膜に対向して透明基板１７４が配置されている。透明基板１７４の配向膜１７３に対向する面上に透明電極１７５及び配向膜１７６が順次積層されている。透明基板１７４の透明電極１７５が形成された面と反対側の面上に偏光板１７７が設けられている。配向膜１７３と配向膜１７６との間に液晶１７８が封入されている。基板１７１及び基板１７４の端部は、例えば、エポキシ系のシール材１７９によって封止されている。
【００１６】
本実施形態に係るプライバシーフィルタ１７の平面図の一例を図４に示す。この図に示すように、覗きこみ防止装置には、ａ、ｂの２つの領域が形成されている。これらの領域は視認できる程度の大きさを備えている。また、この領域は文字、目視図形、キャラクターなど、視認できるものならばどのようなものであっても良い。
【００１７】
領域ａ，ｂは、配向膜１７３および配向膜１７６の配向方向の異なる領域に分けることによって形成される。図５に配向膜１７３および配向膜１７６の配向方向を示す。
【００１８】
図５は、プライバシーフィルタの配向膜の配向方向を示す平面図の一例である。図５において、実線矢印が配向膜１７３の配向方向を示し、配向方向は隣接する領域ａ，ｂで逆方向である。また、点線矢印が配向膜１７６の配向方向を示し、配向方向は隣接する領域ａ，ｂで逆方向である。さらに、領域ａ、ｂで配向膜１７３の配向方向と配向膜１７６との配向方向が垂直になるようにする。
【００１９】
次に、プライバシーフィルタ１７の動作を説明する。
【００２０】
プライバシーフィルタ１７の透明電極１７２及び透明電極１７５との間に電圧をかけない場合は、図６（ａ）に示すように、液晶分子１７８ａは基板１７１，１８４に対して平行方向に配向した状態にある。このとき、プライバシーフィルタ１７に入射した偏光は、どの方向から入射しても９０゜ねじれて偏光板１７７を通過する。
【００２１】
プライバシーフィルタ１７の電極に電圧（６０Ｈｚ，矩形波）を印加すると、図６（ｂ）に示すように、液晶分子１７８ａは配向膜の配向方向に従いながら立ち上がり、一定のらせん状に配置される。その結果、特定の方向（破線矢印）から入射した偏光はねじれることなく液晶を通過するため、偏光板１７７を通過することができず、この方向から見た画面は暗くなる。つまり、プライバシーフィルタ１７は、ＬＣＤ１６の面の略法線方向以外の所定の方向に向かう光量を電圧（フィルタ駆動信号）の値に応じて制御する。
【００２２】
図７に、プライバシーフィルタ１７をＬＣＤ１６上に装着したときの画面の見え方の一例を示す。図中上段の３面は、プライバシーフィルタ１７に電圧を印加しないときの状態を示し，下段の３面は、プライバシーフィルタ１７に電圧を印加したときの状態を示す。また、左は左斜め前から画面を見たとき、中央は正面から画面を見たとき、右は右斜め前から画面を見たときを示している。
【００２３】
上述のように、電圧無印加状態においては、画面を正面、左右斜め方向から見ても、通常の表示と何ら変わるところがない。
【００２４】
一方、電圧印加状態においては、画面を正面から見たときには通常の表示と何ら変わるところがない。しかし、左右斜め方向から見た場合には、配向膜上に設けられている領域に応じて、黒い部分が生じ、液晶表示装置上の表示を妨害するようになる。このような妨害図形を表示することにより、斜め横方向から画面の認識を困難にして、覗き込みを防止することができる。
【００２５】
次に、図８を参照して、本コンピュータのシステム構成の一例について説明する。
【００２６】
本コンピュータは、図７に示されているように、ＣＰＵ１０２、ノースブリッジ１０４、主メモリ１１４、グラフィクスコントローラ１０８、サウスブリッジ１０６、ＢＩＯＳ−ＲＯＭ１３６、ハードディスクドライブ（ＨＤＤ）１２６、光ディスクドライブ（ＯＤＤ）１２８、ＴＶチューナ１３４、およびエンベデッドコントローラ／キーボードコントローラＩＣ（ＥＣ／ＫＢＣ）１１２を備えている。
【００２７】
ＣＰＵ１０２は本コンピュータの動作を制御するために設けられたプロセッサであり、ハードディスクドライブ（ＨＤＤ）１２６から主メモリ１１４にロードされる、オペレーティングシステム（ＯＳ）および各種アプリケーションプログラムを実行する。
【００２８】
また、ＣＰＵ１０２は、ＢＩＯＳ−ＲＯＭ１３６に格納されたシステムＢＩＯＳ（Basic Input Output System）を主メモリ１１４にロードした後、実行する。システムＢＩＯＳはハードウェア制御のためのプログラムである。
【００２９】
ノースブリッジ１０４はＣＰＵ１０２のローカルバスとサウスブリッジ１０６との間を接続するブリッジデバイスである。ノースブリッジ１０４には、主メモリ１１４をアクセス制御するメモリコントローラも内蔵されている。また、ノースブリッジ１０４は、ＡＧＰ（Accelerated Graphics Port）バスなどを介してグラフィクスコントローラ１０８との通信を実行する機能も有している。
【００３０】
グラフィクスコントローラ１０８は本コンピュータのディスプレイモニタとして使用されるＬＣＤ１６を制御する表示コントローラである。このグラフィクスコントローラ１０８はビデオメモリ（ＶＲＡＭ）を有しており、ＯＳ／アプリケーションプログラムによってビデオメモリに描画された表示データから、ＬＣＤ１６に表示すべき表示イメージを形成する映像信号を生成する。グラフィクスコントローラ１０８によって生成された映像信号はライン１に出力される。
【００３１】
エンベデッドコントローラ／キーボードコントローラＩＣ（フィルタ制御部）１１２は、フィルタＯＮ／ＯＦＦボタン３０が操作されフィルタＯＮ／ＯＦＦボタン３０から出力されたイベント信号が入力されると、プライバシーフィルタの駆動／非駆動を切り換える。フィルタＯＮ／ＯＦＦボタン３０が操作される前にプライバシーフィルタ１７が駆動していない状態であれば、エンベデッドコントローラ／キーボードコントローラＩＣ１１２はプライバシーフィルタ１７を駆動するための信号をフィルタ駆動部１４０に出力する。  プライバシーフィルタ１７に表示される妨害パターンを形成するために要するコントラスト設定値は例えばＢＩＯＳ−ＲＯＭ１３６に記憶されているシステムＢＩＯＳに含まれる。エンベデッドコントローラ／キーボードコントローラＩＣ１１２は、ＢＩＯＳ−ＲＯＭ１３６に格納されたコントラスト設定値を参照する。エンベデッドコントローラ／キーボードコントローラＩＣ１１２からフィルタ駆動部１４０に出力される信号には、参照されたコントラスト設定値に対応する情報を含んでいる。
【００３２】
フィルタＯＮ／ＯＦＦボタン３０が操作される前にプライバシーフィルタ１７が駆動している状態であれば、エンベデッドコントローラ／キーボードコントローラＩＣ１１２はプライバシーフィルタ１７の駆動を停止するための信号をフィルタ駆動部１４０に出力する。
【００３３】
次に、プライバシーフィルタ１７駆動時の動作について、図９を参照してより詳細に説明する。
【００３４】
エンベデッドコントローラ／キーボードコントローラＩＣ１１２は、メインメモリ１１４上に展開されているシステムＢＩＯＳに含まれるコントラスト設定値を参照する。エンベデッドコントローラ／キーボードコントローラＩＣ１１２は、コントラスト設定値に対応するＰＷＭ（pulse width modulation）信号を生成し、フィルタ駆動部１４０に出力する。プライバシーフィルタ１７に表示される妨害パターンのコントラストは駆動電圧に応じて変化する。ＰＷＭ信号では、パルス幅の大きさで駆動電圧のレベルを表している。なお、パルス幅の大きさで駆動電圧のレベルが表されているので、ＰＷＭ信号が出力されていない場合、つまり信号が“０”の場合、プライバシーフィルタ１７は駆動されない。
【００３５】
ＰＷＭ信号はローパスフィルタ１４１に入力され、ローパスフィルタ１４１はＰＷＭ信号をＤＣ信号に変換する。ＤＣ信号の電圧値は、コントラストに対応している。変換されたＤＣ信号はローパスフィルタ１４１からアンプ１４２に入力され、プライバシーフィルタ１７を駆動するのに必要な電圧まで昇圧される。昇圧された信号は、作動バッファ１４３に入力される。作動バッファ１４３は、透明電極１７２及び透明電極１７５に接続された２本の信号線Ｌ1，Ｌ2にアンプから入力された電圧に応じた電位差を与える。なお、作動バッファ１４３には３０Ｈｚのタイミング信号が入力され、タイミング信号に応じて２本の信号線Ｌ1，Ｌ2に供給される電圧の極性が反転される。極性を反転させることによって、いわゆる焼き付きを防止することができる。タイミング信号は、同期信号発生器１５０で生成された６０Ｈｚの同期信号ＶＳＹＮＣを１／２分周器１４４で半分の周期に分周することで生成される。
【００３６】
２本の信号線Ｌ1，Ｌ2には同電位強制部（電位制御部）１４５が接続されている。プライバシーフィルタ１７の非動作時、２本の信号線Ｌ1，Ｌ2間に電位差があると焼き付きが生じる恐れがある。プライバシーフィルタ１７の非動作時に、同電位信号強制部１４５が、２本の信号線Ｌ1，Ｌ2間の電位差を所定値以下の値（例えば０）にすることによって、液晶の焼き付きを抑制することができる。同電位強制部１４５としては、例えばプライバシーフィルタ１７の非動作時に、２本の信号線Ｌ1，Ｌ2を電気的に接続するスイッチで構成される。
【００３７】
フィルタ制御部であるＢＩＯＳ−ＲＯＭ１３６、エンベデッドコントローラ／キーボードコントローラＩＣ１１２及びフィルタ駆動部１４０はコンピュータ本体１２内に設けられている。プライバシーフィルタ１７とフィルタ駆動部１４０とは２本の信号線Ｌ1，Ｌ2によって接続されるので、プライバシーフィルタ１７を駆動するためにコンピュータ本体１２とディスプレイユニット１４とを結ぶ配線は２本で済む。
【００３８】
次に、プライバシーフィルタ１７の駆動／非駆動を切り換えるための処理について図１０を参照して説明する。
【００３９】
先ず、キーの操作が有ったかを判断する（ステップＳＴ１０１）。ステップＳＴ１０１でキー入力がないと判断されれば、所定のタイミングでステップＳＴ１０１を実行する。ステップＳＴ１０１でキー操作があったと判断された場合、操作されたキーがフィルタＯＮ／ＯＦＦボタン３０で有るか判断する（ステップＳＴ１０２）。ステップＳＴ１０２でフィルタＯＮ／ＯＦＦボタン３０ではないと判定された場合、操作されたキーに対応する処理を行った後、所定のタイミングでステップＳＴ１０１を実行する。
【００４０】
ステップＳＴ１０２で操作されたキーがフィルタＯＮ／ＯＦＦボタン３０であると判定された場合、プライバシーフィルタ１７が駆動状態であるか判断する（ステップＳＴ１０３）。ステップＳＴ１０３でプライバシーフィルタ１７が駆動状態であると判定された場合、プライバシーフィルタ１７を駆動停止するためにＰＷＭ信号の出力を停止し、プライバシーフィルタ１７の駆動を停止する（ステップＳＴ１０４）。ステップＳＴ１０３でプライバシーフィルタ１７が駆動してないと判定された場合、ＰＷＭ信号を出力し、プライバシーフィルタ１７を駆動させる（ステップＳＴ１０５）。
【００４１】
次ぎに、プライバシーフィルタ１７の駆動時に妨害パターンのコントラストを調整するための処理について図１１を参照して説明する。
【００４２】
エンベデッドコントローラ／キーボードコントローラＩＣ１１２は、キー操作が有ったかを判定する（ステップＳＴ２０１）。キー操作がないと判定されれば、所定のタイミングでステップＳＴ２０１を実行する。操作されたキーがコントラスト制御ボタン３１，３２であるか判定する。操作されたキーがコントラスト制御ボタン３１，３２で無かった場合、エンベデッドコントローラ／キーボードコントローラＩＣ１１２は、操作されたキーに対応する処理を行った後、所定のタイミングでステップＳＴ２０１を実行する。
【００４３】
ステップＳＴ２０２で操作されたキーがコントラスト制御ボタン３１，３２であると判定された場合、エンベデッドコントローラ／キーボードコントローラＩＣ１１２は、そのキーがコントラストアップボタン３１であるか判定する（ステップＳＴ２０３）。ステップＳＴ２０３でコントラストアップボタン３１であると判定された場合、エンベデッドコントローラ／キーボードコントローラＩＣ１１２はメインメモリ１１４上に展開されているシステムＢＩＯＳに含まれるコントラスト設定値を参照し、記録されているコントラスト設定値が設定範囲の最大であるか判断する（ステップＳＴ２０４）。コントラスト設定値が最大であると判断した場合、コントラストを変更することが出来ないので、ステップＳＴ２０１に戻る。
【００４４】
ステップＳＴ２０４でコントラスト設定値が最大値ではないと判断された場合、設定されていたコントラスト設定値を一段階大きなコントラスト設定値にインクリメントする。そして、変更されたコントラスト設定値に基づいて、ＰＷＭ信号を生成する（ステップＳＴ２０６）。
【００４５】
ステップＳＴ２０３でコントラストアップボタン３１ではないと判断された場合、エンベデッドコントローラ／キーボードコントローラＩＣ１１２は設定されているコントラスト設定値が設定範囲の最小であるか判断する（ステップＳＴ２０７）。コントラストアップボタン３１ではないと判断された場合とは、コントラストダウンボタン３２が押されている場合である。ステップＳＴ２０７でコントラスト設定値が最小であると判断された場合、コントラストを変更することが出来ないので、ステップＳＴ２０１に戻る。
【００４６】
コントラスト設定値が最小値ではない場合、メインメモリ１１４上に展開されているシステムＢＩＯＳに含まれるコントラスト設定値を一段階小さなコントラスト設定値にディンクリメントする（ステップＳＴ２０８）。そして、変更されたコントラスト設定値に基づいて、新たなパルス幅を有するＰＷＭ信号を生成する（ステップＳＴ２０６）。
【００４７】
上述したようにコントラストアップボタン３１またはコントラストダウン３２を操作をすることによって、プライバシーフィルタ１７に表示される妨害パターンのコントラストを調整することができる。例えば、温度が低くプライバシーフィルタ１７に表示される妨害パターンのコントラストが低く、ディスプレイの斜め方向から見えてしまう場合であっても、ユーザがコントラストアップボタン３１を操作して、妨害パターンのコントラストを上げることによって、斜めからののぞき見を防止することができる。
【００４８】
なお、本実施形態ではコントラストを調整するためにコントラストアップボタン３１またはコントラストダウンボタン３２を操作する例を説明した。しかし、キーボード２０に設けられた複数のキーの操作（例えばコントラスト調整機能が割り当てられたホットキー機能を作動させるための複数キーの操作）、またはＯＳ上で動作するユーティリティーによってコントラストの調整操作を行っても良い。すなわち、妨害パターンのコントラストを確認するためには斜め方向から見なくてはならないので、斜め方向から見ている状態でも操作しやすいような位置にコントラストの調整を行う際に使用するボタンを配置することが好ましい。
【００４９】
（第２の実施形態）
図１２は、本発明の第２の実施形態に係わるパーソナルコンピュータの構成の一例を示すブロック図である。図１２において、図８と同一な部位には同一符号を付し、その詳細な説明を省略する。
【００５０】
図１２において、エンベデッドコントローラ／キーボードコントローラＩＣ１１２に温度センサ４１が接続されている。温度センサ４１は、例えばバッテリー内、またはハードディスクドライブ（ＨＤＤ）１２６の近傍、光ディスクドライブ（ＯＤＤ）１２８の近傍等のコンピュータ本体１２内に配置されている。なお、温度センサ４１が、ディスプレイユニット１４内に配置されていても良い。
【００５１】
エンベデッドコントローラ／キーボードコントローラＩＣ１１２は、温度センサによって測定された温度を、例えばメインメモリ１４に記憶する。温度を測定するのは、パーソナルコンピュータの起動時が好ましい。コンピュータ本体１２内にはディスプレイユニット１４に比べてＣＰＵ１０２等の熱源となるものが多く存在する。起動して時間が経つと、コンピュータ本体１２内とプライバシーフィルタ１７が格納されているディスプレイユニット１４内との間に温度差が発生し、後にＰＷＭ信号の補正を行うことが困難になる。
【００５２】
プライバシーフィルタ１７の駆動していない時に、フィルタＯＮ／ＯＦＦボタン３０が操作され、エンベデッドコントローラ／キーボードコントローラＩＣ１１２は、ＢＩＯＳ−ＲＯＭ１３６に予め記憶されているコントラスト設定値及び温度情報に基づいたＰＷＭ信号を出力する。この時、エンベデッドコントローラ／キーボードコントローラＩＣ１１２はコントラスト設定値に応じてＰＷＭ信号のパルス幅を決め、決められたパルス幅を温度情報に応じて補正する。
【００５３】
なお、温度センサ４１が、ディスプレイユニット１４内に設けられていれば、ＰＷＭ信号のパルス幅の補正はプライバシーフィルタ１７の駆動が指示された後に行った方が好ましい。又、プライバシーフィルタ１７の駆動時に定期的に温度を測定して新たな補正値を求め、新たな補正値に基づいてプライバシーフィルタ１７を駆動しても良い。
【００５４】
温度センサ１４１で測定された温度に応じてＰＷＭ信号を補正することで、ユーザがコントラストを調整しなくても、自動的にコントラストを適切な状態にすることができる。
【００５５】
ディスプレイユニット１４が閉じられた時、或いは外部モニタに表示を行う場合について説明する。この場合、ＬＣＤ１６に画像を表示するための信号が送られているが、ＬＣＤ１６への駆動電圧の供給が停止され、ＬＣＤ１６が駆動されないように制御される。プライバシーフィルタ１７が駆動状態であれば、無用な電力を消費し続けることになるので、バッテリーで運用している場合は、動作時間が短くなる。
【００５６】
本実施形態では、ＬＣＤ１６への駆動電圧供給を停止と同時にプライバシーフィルタ１７への駆動電圧の供給を停止する構成について図１３を参照して説明する。
【００５７】
ＬＣＤ１６に駆動電圧を供給するための駆動回路１６０とＬＣＤ１６との間にｐ型トランジスタＴｒ１が挿入されている。メインメモリ１１４上に展開されているシステムＢＩＯＳを実行することで生成されるＰＮＬＯＦＦ信号がｎ型トランジスタＴｒ２のゲート及び同電位強制部１４５に入力されている。ｎ型トランジスタＴｒ２の一端がグランドに接続され、ｎ型トランジスタＴｒ２の他端がｐ型トランジスタＴｒ１のゲートに入力されている。
【００５８】
ＰＮＬＯＦＦ信号は、ＬＣＤ１６へ電力を供給する時が“Ｈｉ”であり、ＬＣＤ１６への電力供給を停止する時に“Ｌｏｗ“になる。
【００５９】
ＰＮＬＯＦＦ信号が“Ｈｉ”であると、ｎ型トランジスタＴｒ２がオン状態になり、ｐ型トランジスタＴｒ１のゲートがグランドに接続されてオン状態になって、ＬＣＤ１６に駆動回路１６０から駆動電圧が供給される。また、ＰＮＬＯＦＦ信号が“Ｈｉ”であると、同電位強制部１４５はプライバシーフィルタ１７にＰＷＭ信号に応じた駆動電圧が供給可能なようにする。
【００６０】
ＰＮＬＯＦＦ信号が“Ｌｏｗ”であると、ｎ型トランジスタＴｒ２がオフ状態になり、ｐ型トランジスタＴｒ１のゲートがグランドに接続されずにオフ状態になって、ＬＣＤ１６に駆動回路１６０から駆動電圧が供給されなくなる。また、ＰＮＬＯＦＦ信号が“Ｌｏｗ”であると、同電位強制部１４５はプライバシーフィルタ１７に駆動電圧が供給されないようにすると共に、プライバシーフィルタに接続されている２本の信号線を電気的に接続して同電位にして焼き付きを防止する。
【００６１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６２】
【図１】本発明の第１の実施形態に係わるパーソナルコンピュータの概略構成の一例を示す斜視図。
【図２】第１の実施形態に係わるＬＣＤ及びプライバシーフィルタの配置関係の一例を示す図。
【図３】第１の実施形態に係わるプライバシーフィルタの構成の一例を示す断面図。
【図４】第１の実施形態に係わるプライバシーフィルタの構成の一例を示す平面図。
【図５】第１の実施形態に係わるプライバシーフィルタの配向膜の配向方向の一例を示す平面図。
【図６】電圧印加による液晶分子の立ち上がりの一例を説明する図。
【図７】プライバシーフィルタによる視野角制御の一例を説明する図
【図８】第１の実施形態に係わるパーソナルコンピュータの回路構成の一例を示すブロック図。
【図９】プライバシーフィルタを駆動するための構成の一例を示すブロック図。
【図１０】プライバシーフィルタの駆動を切り換えるための処理の一例を示すフローチャート。
【図１１】妨害パターンのコントラストを調整するための処理の一例を示すフローチャート。
【図１２】第２の実施形態に係わるパーソナルコンピュータの構成の一例を示すブロック図。
【図１３】ＬＣＤへの駆動電圧供給を停止と同時にプライバシーフィルタへの駆動電圧の供給を停止する構成の一例を示すブロック図。
【符号の説明】
【００６３】
１２…コンピュータ本体，１４…ディスプレイユニット，１６…ＬＣＤ，１７…プライバシーフィルタ，１８…ヒンジ，２０…キーボード，２２…タッチパッド，２４…スクロールボタン，２６…タッチパッドコントロールボタン，２８…パワーボタン，３０…フィルタＯＮ／ＯＦＦボタン，３１…コントラストアップボタン，３２…コントラストダウンボタン
【図１】
2006243782.tif 000003
【図２】
2006243782.tif 000004
【図３】
2006243782.tif 000005
【図４】
2006243782.tif 000006
【図５】
2006243782.tif 000007
【図６】
2006243782.tif 000008
【図７】
2006243782.tif 000009
【図８】
2006243782.tif 000010
【図９】
2006243782.tif 000011
【図１０】
2006243782.tif 000012
【図１１】
2006243782.tif 000013
【図１２】
2006243782.tif 000014
【図１３】
2006243782.tif 000015